(57)【特許請求の範囲】
【請求項１】
複数の絶縁被覆線心を撚り合わせて形成される複数の集合線心と、撚り方向が相互に反対方向とされた対となる補強ワイヤと、前記集合線心及び前記補強ワイヤを絶縁材料で一括して被覆する被覆層とを備えた平型ケーブルの捻じれ低減方法であって、
並列する前記集合線心の外側にそれぞれ配置される前記補強ワイヤを、前記被覆層の一部を切除して開口部を形成し露出させる、
ことを特徴とする平型ケーブルの捻じれ低減方法。
【請求項２】
昇降路壁またはかごとの距離があらかじめ定める閾値以下になった個所の被覆層を切除し前記開口部を形成する
ことを特徴とする請求項１記載の平型ケーブルの捻じれ低減方法。
【請求項３】
前記並列する前記集合線心の外側にそれぞれ配置される前記補強ワイヤのうち、
いずれか一方を露出させる、
ことを特徴とする請求項１記載の平型ケーブルの捻じれ低減方法。
【発明の詳細な説明】
【技術分野】
【０００１】
本発明は、平型ケーブルの捻じれ低減方法に関する。
【背景技術】
【０００２】
エレベータ等の移動装置に用いられる平型ケーブルの捻じれを防止するものとして、特開２０１０−１０２８５１号公報には、平型ケーブルの中心軸に対して左右対称にＳ撚りの抗張力体とＺ撚りの抗張力体とを組み合わせて配列すると共に、これらの抗張力体は、ケーブル長手方向に対して略直交方向の断面が略多角形断面または略長円断面に形成されるものが記載されている。
【０００３】
また、特開２００５−６７７６１号公報には、撚り方向が相互に反対方向とされ、制御ケーブル自体の重量を支える第１、第２補強用ロープを制御ケーブル本体の内部に通し、かつ、これらの第１、第２補強用ロープは、制御ケーブルの両端部において、制御ケーブル本体の樹脂被覆から延出したものが記載されている。
【先行技術文献】
【特許文献】
【０００４】
【特許文献１】特開２０１０−１０２８５１号公報
【特許文献２】特開２００５−６７７６１号公報
【発明の概要】
【発明が解決しようとする課題】
【０００５】
しかしながら、前述したものは、互いに反対方向の自転力を発生させる抗張力体や第１、第２補強用ロープ（以下、補強ワイヤとする）を平型ケーブルに備えたものであるが、平型ケーブルは、補強ワイヤ及び複数本の集合線心を絶縁材料により被覆して成形される長尺物であることから、製品にばらつきが生じることを完全に防ぐことができなかった。このため、平型ケーブルを長行程のエレベータに適用した際、互いに反対方向の自転力を発生させる補強ワイヤを備えていても、納入先によって捻じれが生じるケースがあり、捻じれが生じたものは解消する手段がなく、捻じれの程度によってはケーブル交換により対応していた。
【課題を解決するための手段】
【０００６】
前記目的を達成するために、本発明は、複数の絶縁被覆線心を撚り合わせて形成される複数の集合線心と、撚り方向が相互に反対方向とされた対となる補強ワイヤと、前記集合線心及び前記補強ワイヤを絶縁材料で一括して被覆する被覆層とを備えた平型ケーブルの捻じれ低減方法であって、並列する前記集合線心の外側にそれぞれ配置される前記補強ワイヤを、前記被覆層の一部を切除して開口部を形成し露出させるように構成する。
【発明の効果】
【０００７】
本発明によれば、捻じれが生じたとき、被覆層の一部を切除し、補強ワイヤを露出させて平型ケーブルの長手方向における回転特性を矯正し、捻じれを改善することができ、これによって、ケーブル交換を要することなく捻じれに対応でき、コストの低減を図ることができる。
【図面の簡単な説明】
【０００８】
【図１】本発明の平型ケーブルの一実施の形態を示し、被覆層の一部を切除した斜視図である。
【図２】本実施の形態における平型ケーブルの構造を示す斜視図である。
【図３】平型ケーブルの設置状態を説明する説明図である。
【図４】本発明が適用されるエレベータの概略構成図である。
【発明を実施するための形態】
【０００９】
以下、本発明に係る平型ケーブルの実施の形態を図に基づき説明する。
【実施例１】
【００１０】
エレベータは、図４に示すように、建屋１に形成される昇降路２と、この昇降路２を昇降する昇降体、すなわちかご３及びつり合いおもり４と、建屋１上部に形成される機械室５に設置される巻上機６と、巻上機６のシーブ６ａ及びこのシーブ６ａの近傍に配置されるそらせ車７に巻き掛けられると共に、その一端でかご３、他端でつり合いおもり４を懸架する主索８と、機械室５に設置され、エレベータを制御する制御装置９と、制御装置９から昇降路２に延設される配線１０と、昇降路２の中間位置に設けられるジャンクションボックス１１と、このジャンクションボックス１１とかご３の下端に連結されるテールコード１２とを備えている。
【００１１】
テールコード１２は、平型ケーブルであり、図２に示すように、複数の絶縁被覆線心を撚り合わせて形成される複数の集合線心１３と、撚り方向が相互に反対方向とされた対となる補強ワイヤ１４ａ、１４ｂと、集合線心１３及び補強ワイヤ１４ａ、１４ｂを絶縁材料で一括して被覆する被覆層１５とを備えてなる。
【００１２】
集合線心１３は、テールコード１２の長手方向に並列に配置されており、本実施の形態では、６本の集合線心１３で構成されており、これらの集合線心１３が電力送電線や信号伝送線となる。
【００１３】
補強ワイヤ１４ａ、１４ｂは、鋼製のワイヤロープであって、それぞれ複数のストランドから成る。複数のストランドは、テールコード１２の長手方向の捻じれを防止するために撚り方向が相互に反対方向とされている。すなわち、例えば、補強ワイヤ１４ａはＳ撚り方向に撚られており、補強ワイヤ１４ｂはこれと反対方向のＺ撚り方向に撚られている。そして、本実施の形態の補強ワイヤ１４ａ、１４ｂは、並列する集合線心１３の外側にそれぞれ配置されている。
【００１４】
被覆層１５は、シースとも呼ばれるものであり、集合線心１３と補強ワイヤ１４ａ、１４ｂとを保護する機能を有している。被覆層１５は製法を特に限定されるものではないが、一般には、絶縁材料である合成樹脂を押出し成形し、集合線心１３及び補強ワイヤ１４ａ、１４ｂを被覆するものである。
【００１５】
そして、本実施の形態のテールコード１２は、敷設した後に捻じれを改善することができるよう工夫が施されており、具体的には、捻じれが生じたとき、被覆層１５の一部を切除して開口部１６を形成し、集合線心１３の外側に配置される補強ワイヤ１４ａ、１４ｂを露出させるようになっている。補強ワイヤ１４がひねられている事による、ひねりを戻す力である復元力は、被覆層を介してテールコードに伝達している。この復元力に製品毎のばらつきが生じた結果補強ワイヤ１４ａと１４ｂで復元力が異なる事がテールコード１２に捻りが生じる一因である。そこで、捻りが生じている箇所の補強ワイヤ１４ａと１４ｂのうち当該個所の捻りが強い方を露出させ、被覆層１５による補強ワイヤ１４の固定を解除することにより補強ワイヤのうち露出した部分は補強ワイヤの捻りが解消され、復元力を弱めることにより、補強ワイヤ１４ａと１４ｂの復元力の大きさを近づけることによりテールコード１２の捻りを是正する。なお、被覆層１５の切除可能箇所にあらかじめ切り込みを設け、開口部１６の形成を容易なものとすることもできる。
【００１６】
本実施の形態にあっては、エレベータの据付け時、テールコード１２をかご３の下端及びジャンクションボックス１１に連結する。このとき、それぞれが反対方向に自転力を発生させる補強ワイヤ１４ａ、１４ｂの働きが機能し、テールコード１２に捻じれが発生しない場合、図３の（ａ）に示すように、テールコード１２と昇降路壁やかご３との間には間隙寸法Ｌ１が保ち、エレベータの障害とならない事が期待される。
【００１７】
一方、製品のばらつきにより、互いに反対方向の自転力を発生させる補強ワイヤ１４ａ、１４ｂを備えていてもテールコード１２がその長手方向で回転し、捻じれが生じることがある。この場合、図３の（ｂ）に示すように、テールコード１２と昇降路壁やかご３との間は間隙寸法Ｌ２となり、エレベータの運行に支障をきたすことになる。このようにテールコード１２に捻じれが生じた場合、作業員は図１に示すように、捻じれ方向に応じて被覆層１５の一部を切除して開口部１６を形成し、集合線心１３の外側に配置される補強ワイヤ１４ａ、１４ｂを露出させる。この時例えば斜線で示した昇降路壁やかご３に近い側の補強ワイヤを１４ｂ、遠い側を１４ａとし、１４ｂがＳ捻り、１４ａをＺ捻りとすると、補強ワイヤ１４ｂの捻りが相対的に強い個所であるため、この箇所を露出させる。このように、被覆層１５の一部が取り除かれ、補強ワイヤ１４ａ、１４ｂの一部が被覆層１５から解放されることで、補強ワイヤ１４ａ、１４ｂが発生する自転力が適切に作用し、テールコード１２の回転特性が矯正されて捻じれが改善する。
【００１８】
なお、補強ワイヤ１４の捻りの度合いは同一製品内で必ずしも同じでなく、長手方向にもむらが存在する。そのため、テールコードの長手方向である個所では補強ワイヤ１４ａの方が捻りが強く、他の箇所では補強１４ｂの方が捻りが強いという状況も発生する。その場合、テールコード１２の捻りを是正するために、図１の様に、テールコード１２のある個所は１４ａを露出させ、他の箇所では１４ｂを露出させるという事もありえる。また、長手方向に捻りにむらがあるため、捻りの強い箇所について補強ワイヤを露出させればよい。例えば、図３（ｂ）のように、昇降路壁やかご３との間隙寸法Ｌ２など一定値以下になった個所を切除するようにしてもよい。
【００１９】
本実施の形態によれば、テールコード１２に捻じれが生じたとき、被覆層１５の一部を切除し、補強ワイヤ１４ａ、１４ｂを露出させてテールコード１２の回転特性を矯正し、捻じれを改善することができ、これによって、テールコード１２の交換を要することなく捻じれに対応でき、コストの低減を図ることができる。
【００２０】
また、補強ワイヤ１４ａ、１４ｂは、並列する集合線心１３の外側にそれぞれ配置されることにより、テールコード１２の側端に位置する被覆層１５を切除することで、補強ワイヤ１４ａ、１４ｂを容易に露出させることができる。
【００２１】
なお、前述した実施の形態は本発明を分かりやすく説明するために詳細に説明したものであり、必ずしも説明した全ての構成を備えるものに限定されるものではない。また、各実施の形態の構成の一部について、他の構成の追加・削除・置き換えをすることが可能である。
【符号の説明】
【００２２】
３  かご
９  制御装置
１０  配線
１１  ジャンクションボックス
１２  テールコード（平型ケーブル）
１３  集合線心
１４ａ、１４ｂ  補強ワイヤ
１５  被覆層
【図１】
0006272197.tif 000002
【図２】
0006272197.tif 000003
【図３】
0006272197.tif 000004
【図４】
0006272197.tif 000005